(57)【要約】【課題】扉の様々な開状態及び閉状態に応じて、冷却性能及び除霜性能の調整が可能なショーケースを提供する。【解決手段】ショーケース１は、制御手段が、開閉状態検出手段６０での検出結果に基づいて、扉３１，３２が開口部１０Ａを閉塞した閉塞状態の場合は、冷却手段４０によって第一冷却条件で冷却させるとともに除霜手段５０によって第一除霜条件で除霜させ、扉３１，３２が開口部１０Ａを開放した第一中間状態の場合は、冷却手段４０によって第一冷却条件よりも高い冷却性能の第二冷却条件で冷却させるとともに除霜手段５０によって第一除霜条件で除霜させ、第一中間状態よりも外部雰囲気による温度の影響の高い開放状態の場合は、冷却手段４０によって第二冷却条件で冷却させるとともに除霜手段５０によって第一除霜条件よりも高い除霜性能の第二除霜条件で除霜させることを特徴とする。【選択図】図２
2013245914.tif 000002
【特許請求の範囲】
【請求項１】
物品を収容可能とされ開口部が設けられたショーケース本体と、
前記開口部を開閉可能な扉と、
前記ショーケース本体内を冷却する冷却手段と、
前記冷却手段の除霜を行う除霜手段と、
前記冷却手段及び前記除霜手段を制御する制御手段と、
前記扉の開閉状態を検出する開閉状態検出手段とを備え、
前記制御手段は、前記開閉状態検出手段での検出結果に基づいて、前記扉が前記開口部を閉塞した閉塞状態の場合は、前記冷却手段によって第一冷却条件で冷却させるとともに前記除霜手段によって第一除霜条件で除霜させ、前記扉が前記開口部を開放した第一中間状態の場合は、前記冷却手段によって前記第一冷却条件よりも高い冷却性能の第二冷却条件で冷却させるとともに前記除霜手段によって前記第一除霜条件で除霜させ、前記第一中間状態よりも外部雰囲気による温度の影響の高い開放状態の場合は、前記冷却手段によって前記第二冷却条件で冷却させるとともに前記除霜手段によって前記第一除霜条件よりも高い除霜性能の第二除霜条件で除霜させることを特徴とするショーケース。
【請求項２】
請求項１に記載のショーケースにおいて、
前記開閉状態検出手段は、前記開閉状態として、さらに前記第一中間状態よりも前記外部雰囲気による前記温度の影響が高く、かつ、前記開放状態よりも前記外部雰囲気による前記温度の影響が低い第二中間状態を検出し、
前記制御手段は、前記第二中間状態の場合は、前記冷却手段によって前記第二冷却条件よりも高い冷却性能の第三冷却条件で冷却させるとともに前記除霜手段によって前記第一除霜条件で除霜させ、前記開放状態の場合は、前記冷却手段によって前記第三冷却条件で冷却させるとともに前記除霜手段によって前記第二除霜条件で除霜させることを特徴とするショーケース。
【請求項３】
請求項２に記載のショーケースにおいて、
前記第一中間状態は、前記閉塞状態から前記扉が前記開口部を開放した直後の状態であり、
前記第二中間状態は、前記扉が前記開口部を所定の第一時間以上、第二時間未満開放した状態であり、
前記開放状態は、前記扉が前記開口部を前記第二時間以上開放した状態であることを特徴とするショーケース。
【請求項４】
請求項１に記載のショーケースにおいて、
前記扉は、前記開口部の開放する場合にその開放領域を変更可能として構成され、
前記第一中間状態は、所定の領域である第一領域開放した状態であり、
前記開放状態は、前記第一領域よりも広い領域である第二領域開放した状態であることを特徴とするショーケース。
【請求項５】
請求項２に記載のショーケースにおいて、
前記冷却手段は、前記ショーケース本体内の空気を冷却して冷却風を生成する冷凍機と、前記冷却風を前記ショーケース本体内に送風する送風機とを有し、
前記第一冷却条件は、前記冷却風の温度が第一の温度とされるとともに送風量が第一の送風量とされ、
前記第二冷却条件は、前記冷却風の温度が前記第一の温度とされるとともに前記送風量が前記第一の送風量よりも多い第二の送風量とされ、または、前記冷却風の温度が前記第一の温度よりも低い第二の温度とされるとともに前記送風量が前記第一の送風量であり、
前記第三冷却条件は、前記冷却風の温度が前記第二の温度とされるとともに前記送風量が前記第二の送風量であることを特徴とするショーケース。
【発明の詳細な説明】
【技術分野】
【０００１】
本発明は、ショーケースに関するものである。
【背景技術】
【０００２】
一般に、スーパーマーケットやコンビニエンスストア等の店舗には、冷凍食品や生鮮食品等の物品を陳列するためショーケースが設置されている。
【０００３】
ここで、ショーケースとしては、例えば上部が開口部とされた箱状部材と、該開口部を開閉する扉と、冷却風を生成して物品を冷却する冷凍庫とを備えているものが知られている。そして、買い物客が扉を開放することにより物品を取り出すことができるとともに、扉を閉塞することによりショーケース内の物品を効率よく冷却することができる。
【０００４】
このようなショーケースは、開口部が開放された状態ではショーケース内の冷却風が外部に放出されるため、高い冷却負荷で冷凍庫を稼動する必要がある。一方、開口部が扉で閉塞された状態ではショーケース内の冷却風が外部に放出されることはないため、低い冷却負荷で冷凍庫を稼動することが省エネルギー上好ましい。
【０００５】
そこで、前方が開口部とされた貯蔵室と、該開口部を閉塞可能なフィルム状のナイトカバーとを備え、ナイトカバーが閉じられた場合に貯蔵室内の冷却設定温度を上昇させる構成のショーケースが提案されている（下記特許文献１参照）。
このようなショーケースでは、開口部がナイトカバーで閉塞された場合には高い設定温度で物品を冷却し、開口部が開放された場合には低い設定温度で物品を冷却することができる。つまり、扉が開状態の場合と扉が閉状態の場合との二段階の冷却性能を選択することができる。
【先行技術文献】
【特許文献】
【０００６】
【特許文献１】特開２００２−２５７４５１号公報
【発明の概要】
【発明が解決しようとする課題】
【０００７】
しかしながら、上記の特許文献１に記載のショーケースでは、例えば開口部が長時間開放されて物品の温度が上昇している場合でも、ナイトカバーが開口部を閉塞すると設定温度が高温とされるため、物品を十分に冷却することができないという問題点がある。
【０００８】
また、ナイトカバーが開口部の一部のみを閉塞し冷却風の外部への放出量が少ない場合に対応する最適な設定温度を選択することができないという問題点がある。
【０００９】
また、開口部が長時間開放された場合には、冷凍庫が高い冷却負荷で長時間稼動しているため、蒸発器の冷却コイル等に霜が付着することがある。しかしながら上記の特許文献１に記載のショーケースは除霜性能を変更する構成を備えていないため、着霜状況に対応した最適な除霜性能を選択することができないという問題点がある。
【００１０】
本発明は、上記事情に鑑みてなされたものであり、扉の様々な開状態及び閉状態に応じて、冷却性能及び除霜性能の調整が可能なショーケースを提供するものである。
【課題を解決するための手段】
【００１１】
上記目的を達成するために、本発明は以下の手段を採用している。
すなわち、本発明に係るショーケースは、物品を収容可能とされ開口部が設けられたショーケース本体と、前記開口部を開閉可能な扉と、前記ショーケース本体内を冷却する冷却手段と、前記冷却手段の除霜を行う除霜手段と、前記冷却手段及び前記除霜手段を制御する制御手段と、前記扉の開閉状態を検出する開閉状態検出手段とを備え、前記制御手段は、前記開閉状態検出手段での検出結果に基づいて、前記扉が前記開口部を閉塞した閉塞状態の場合は、前記冷却手段によって第一冷却条件で冷却させるとともに前記除霜手段によって第一除霜条件で除霜させ、前記扉が前記開口部を開放した第一中間状態の場合は、前記冷却手段によって前記第一冷却条件よりも高い冷却性能の第二冷却条件で冷却させるとともに前記除霜手段によって前記第一除霜条件で除霜させ、前記第一中間状態よりも外部雰囲気による温度の影響の高い開放状態の場合は、前記冷却手段によって前記第二冷却条件で冷却させるとともに前記除霜手段によって前記第一除霜条件よりも高い除霜性能の第二除霜条件で除霜させることを特徴とする。
【００１２】
このように構成されたショーケースでは、閉塞状態では冷却性能及び除霜性能を低くし、第一中間状態では閉塞状態よりも冷却性能を高くし、開放状態では第一中間状態よりも除霜性能を高くすることができる。よって、扉の様々な開状態及び閉状態に応じて、冷却性能及び除霜性能の調整が可能である。
【００１３】
また、本発明に係るショーケースは、前記開閉状態検出手段は、前記開閉状態として、さらに前記第一中間状態よりも前記外部雰囲気による前記温度の影響が高く、かつ、前記開放状態よりも前記外部雰囲気による前記温度の影響が低い第二中間状態を検出し、
前記制御手段は、前記第二中間状態の場合は、前記冷却手段によって前記第二冷却条件よりも高い冷却性能の第三冷却条件で冷却させるとともに前記除霜手段によって前記第一除霜条件で除霜させ、前記開放状態の場合は、前記冷却手段によって前記第三冷却条件で冷却させるとともに前記除霜手段によって前記第二除霜条件で除霜させることが好ましい。
【００１４】
このように構成されたショーケースでは、第二中間状態では第一中間状態よりも冷却性能を高くすることができる。よって、扉の様々な開状態及び閉状態に応じて、冷却性能をさらに細かく調整することができる。
【００１５】
また、本発明に係るショーケースは、前記第一中間状態は、前記閉塞状態から前記扉が前記開口部を開放した直後の状態であり、前記第二中間状態は、前記扉が前記開口部を所定の第一時間以上、第二時間未満開放した状態であり、前記開放状態は、前記扉が前記開口部を前記第二時間以上開放した状態であってもよい。
【００１６】
このように構成されたショーケースでは、扉の開閉時間に応じて、冷却性能及び除霜性能の調整が可能である。
【００１７】
また、本発明に係るショーケースは、前記扉は、前記開口部の開放する場合にその開放領域を変更可能として構成され、前記第一中間状態は、所定の領域である第一領域開放した状態であり、前記開放状態は、前記第一領域よりも広い領域である第二領域開放した状態であってもよい。
【００１８】
このように構成されたショーケースでは、開口部の開放される領域の面積に応じて、冷却性能及び除霜性能の調整が可能である。
【００１９】
また、本発明に係るショーケースは、前記冷却手段は、前記ショーケース本体内の空気を冷却して冷却風を生成する冷凍機と、前記冷却風を前記ショーケース本体内に送風する送風機とを有し、前記第一冷却条件は、前記冷却風の温度が第一の温度とされるとともに送風量が第一の送風量とされ、前記第二冷却条件は、前記冷却風の温度が前記第一の温度とされるとともに前記送風量が前記第一の送風量よりも多い第二の送風量とされ、または、前記冷却風の温度が前記第一の温度よりも低い第二の温度とされるとともに前記送風量が前記第一の送風量であり、前記第三冷却条件は、前記冷却風の温度が前記第二の温度とされるとともに前記送風量が前記第二の送風量であってもよい。
【００２０】
このように構成されたショーケースでは、第一中間状態において閉塞状態よりも冷却風の風量を多くし、または、冷却風の温度を低くする一方を行うことで該閉塞状態よりも冷却性能を高めることができ、第二中間状態では第一中間状態よりもさらに他方を行うことで該第一中間状態よりも冷却性能を高めることができる。
【発明の効果】
【００２１】
本発明に係るショーケースによれば、閉塞状態では冷却性能及び除霜性能を低くし、第一中間状態では閉塞状態よりも冷却性能を高くし、開放状態では第一中間状態よりも除霜性能を高くすることができるため、扉の様々な開状態及び閉状態に応じて、冷却性能及び除霜性能を調整することができる。
【図面の簡単な説明】
【００２２】
【図１】本発明の第一実施形態に係るショーケースの斜視図である。
【図２】本発明の一実施形態に係るショーケースの断面図である。
【図３】本発明の第一実施形態に係るショーケースの制御手段のブロック図である。
【図４】図２のＰ部拡大図である。
【図５】本発明の第一実施形態に係るショーケースのフローチャートである。
【図６】本発明の第一実施形態に係るショーケースのフローチャートである。
【図７】本発明の第二実施形態に係るショーケースの斜視図である。
【図８】本発明の第二実施形態に係るショーケースの制御手段のブロック図である。
【図９】本発明の第二実施形態に係るショーケースのフローチャートである。
【発明を実施するための形態】
【００２３】
以下、本発明の第一実施形態に係るショーケースについて説明する。
（第一実施形態）
図１及び図２に示すように、ショーケース１は、例えばスーパーマーケットやコンビニエンスストア等の店舗に設置され、冷凍食品や生鮮食品等の物品を陳列するために使用されるものである。
【００２４】
なお、便宜上、店舗においてショーケース１の前に買い物客が立つ側（図２に示す紙面左側及び右側）を前側と称し、その反対側（図２の紙面左右方向中央側）を後側と称する。また、前後方向と直交する水平方向（図２に示す紙面の奥行き方向）を左右方向と称する。
【００２５】
（ショーケース）
図１及び図２に示すように、ショーケース１は、物品を収容可能とされ開口部１０Ａが設けられたショーケース本体１０と、開口部１０Ａを開閉可能な扉３１，３２と、ショーケース本体１０内を冷却する冷却手段４０と、冷却手段４０の除霜を行う除霜手段５０と、扉３１，３２の開閉状態を検出する開閉状態検出手段６０と、冷却手段４０及び除霜手段５０を制御する制御手段７０（図３参照）とを備えている。
【００２６】
（ショーケース本体）
図２に示すように、ショーケース本体１０は、箱状で上部に開口部１０Ａが開口する外ケース部１１と、該外ケース部１１の内部に設けられて箱状で上部が開口する内ケース部１６と、内ケース部１６の下部から立設する支柱１９とを有している。
【００２７】
外ケース部１１は、底部をなす外底部１２と、該外底部１２から上方に向かって延出して外底部１２の周囲を囲む外側壁部１３とを有している。
この外側壁部１３の上部には、前後方向に延在し支持枠部１４が左右方向に離間して複数設けられている。
【００２８】
内ケース部１６は、底部をなす内底部１７と、該内底部１７から立設する内側壁部１８とを有しており、この内底部１７は物品が陳列可能とされている。
【００２９】
内側壁部１８は、内底部１７の前部から立設する内前パネル２６と、内底部１７の後部から立設する内後パネル２７とを有している。
また、一対の内後パネル２７の間は冷気が吹出される吹出通風路２１として構成され、吹出通風路２１の上部がショーケース本体１０内部に冷気を吹出す吹出口２２とされている。
【００３０】
また、内前パネル２６と外側壁部１３との間は空気が吸引される吸引通風路２３として構成され、吸引通風路２３の上部がショーケース本体１０内部の空気を取り込む吸引口２４とされている。
【００３１】
支柱１９は、外底部１２から立設しており、その下端が外底部１２に固定されるとともに上端が支持枠部１４に固定されている。
【００３２】
（扉）
扉３１，３２は、後方に配設された後側扉３１と、該後側扉３１の前方に配設された前側扉３２とを有している。
後側扉３１及び前側扉３２は、それぞれ平面視略矩形状に形成され、本実施形態では左右方向に三枚配設されている。
【００３３】
前側扉３２は、支持枠部１４に沿って前後方向にスライド可能とされている。
後側扉３１の後部には、前側扉３２が後方にスライドされた状態で該前側扉３２を保持可能な保持部材３６が設けられている。この保持部材３６には、左右方向を軸線方向とする第一回動軸３７が設けられている。
【００３４】
これにより、前側扉３２は保持部材３６により後側扉３１と一体とされて、第一回動軸３７を中心として上方に回動可能とされている。
そして、ショーケース１は、開口部１０Ａが前側扉３２及び後側扉３１で閉塞された閉塞状態（図１に示す左側の状態）、前側扉３２が後方にスライドされて後側扉３１と上下方向に重合された重合状態（図１に示す真ん中の状態）又は前側扉３２が保持部材３６により後側扉３１と一体とされ第一回動軸３７を中心に上方に回動された回動状態（図１に示す右側の状態）のいずれかの形態をとることができる。
【００３５】
（冷却手段）
ショーケース本体１０内の空気を冷却して冷却風を生成する冷凍機４１と、該冷却風をショーケース本体１０内に送風する送風機４６とを有している。
【００３６】
冷凍機４１は、内底部１７と外底部１２との間に配設された蒸発器４２と、該蒸発器４２と接続された凝縮器（不図示）と、蒸発器４２に設けられた電磁弁４３（図３参照）とを有している。
【００３７】
蒸発器４２は、内部に冷却コイルが内蔵され、ショーケース本体１０内の空気と冷却コイル内を流通する冷媒とを熱交換し、該空気を冷却した冷却風を生成して吹出通風路２１に導出する。
【００３８】
凝縮器は、蒸発器４２から導出した冷媒と外気等とを熱交換して、該冷媒の熱を外部に放出する。
電磁弁４３は、冷媒が蒸発器４２に導入される導入管に設けられ、導入量を調整する。本実施形態では、全開状態または全閉状態のいずれかとされている。
【００３９】
送風機４６は、回転により送風を行うファン４６ａと、ファン４６ａを回転させるファンモータ４６ｂ（図３参照）とを有している。
ファンモータ４６ｂは、内底部１７と外底部１２との間における蒸発器４２の上流側に設けられ、吸引通風路２３から導入されたショーケース本体１０内の空気を、蒸発器４２に向かって導出する。
【００４０】
このようにして、吸引口２４から吸引された空気は、吸引通風路２３を通り送風機４６を介して蒸発器４２に導入される。そして、蒸発器４２で熱交換されて低温の冷却風となり、吹出通風路２１を通り吹出口２２から吹出される。ここで、開口部１０Ａを閉塞するように後部から前部に向かう流れのエアカーテン２９が形成される。
【００４１】
このエアカーテン２９により、内ケース部１６で囲まれた空間の内部は一定の低温状態とされ、内底部１７に陳列された物品を冷蔵または冷凍した状態とすることが可能となる。
【００４２】
（除霜手段）
除霜手段５０は、蒸発器４２に内蔵された冷却コイルに付着する霜を除去するヒータ５１と、該ヒータ５１への電源を供給の切替を行うヒータスイッチ５２（図３参照）とを有している。
【００４３】
ヒータ５１は、内底部１７と外底部１２との間における送風機４６の下流側であって蒸発器４２の上流側に設けられ、該蒸発器４２に対して熱を放出する。これにより、送風機４６から導出された空気がヒータ５１により暖められて温風となって蒸発器４２に導入されることで、該蒸発器４２に付着した霜が除去される。
【００４４】
ヒータスイッチ５２は、オン状態の場合にヒータ５１への電源の供給を行い、オフ状態の場合にヒータ５１への電源の供給を停止する。
【００４５】
（開閉状態検出手段）
図４に示すように、開閉状態検出手段６０は、外側壁部１３の上部であって前側扉３２の前部と当接する部分に設けられたリミットスイッチ６０で構成されている。
【００４６】
開閉状態検出手段６０は、前側扉３２が開口部１０Ａを開放している場合には、リミットスイッチ６０と前側扉３２との接触がなくなり電流が導通せず、開情報を出力する。
開閉状態検出手段６０は、前側扉３２が開口部１０Ａを閉塞している場合には、前側扉３２がリミットスイッチ６０を押圧して接触状態となり電流が導通して、閉情報を出力する。
【００４７】
（制御手段）
制御手段７０は、開閉状態検出手段６０での検出結果に基づいて、前側扉３２の開閉状態に応じて、冷却手段４０及び除霜手段５０を制御している。
【００４８】
ここで、前側扉３２の開閉状態として、前側扉３２が開口部１０Ａを閉塞した閉塞状態、前側扉３２が開口部１０Ａを開放した第一中間状態、第一中間状態よりも外部雰囲気による影響が高い開放状態及び第一中間状態よりも外部雰囲気による影響が高く、かつ、開放状態よりも外部雰囲気による影響が低い第二中間状態に分類される。
【００４９】
本実施形態では、第一中間状態は前側扉３２が開口部１０Ａを開放した直後の状態であり、第二中間状態は前側扉３２が開口部１０Ａを第一時間以上第二時間未満開放した状態であり、開放状態は前側扉３２が開口部１０Ａを第二時間以上開放した状態である。
【００５０】
閉塞状態の場合には、冷凍機４１による冷却風の温度が第一の温度とされ送風機４６による送風量が第一の送風量とされた第一冷却条件で冷却させるとともに、ヒータ５１によって第一除霜条件で除霜させる。
【００５１】
また、第一中間状態の場合には、冷凍機４１による冷却風の温度が第一の温度とされ送風機４６による送風量が第一の送風量よりも多い第二の送風量とされた第二冷却条件で冷却させるとともに、ヒータ５１によって第一除霜条件で除霜させる。
【００５２】
また、第二中間状態の場合には、冷凍機４１による冷却風の温度が第一の温度よりも低い第二の温度とされ送風機４６による送風量が第二の送風量とされた第三冷却条件で冷却させるとともに、ヒータ５１によって第一除霜条件で除霜させる。
【００５３】
また、開放状態の場合には、冷凍機４１によって第三冷却条件で冷却させるとともに、ヒータ５１によって第一除霜条件よりも高い除霜性能の第二除霜条件で除霜させる。
【００５４】
以下、制御手段７０について、その構成を図３に示す制御手段７０のブロック図を用いて詳細に説明する。
制御手段７０は、扉の開閉状態を判定する開閉判定部７１と、扉の閉じている時間を測定する閉時間測定部７２と、ファンモータ４６ｂを制御するファンモータ駆動制御部７３と、扉の開いている時間を測定する開時間測定部７４と、冷凍機４１の電磁弁４３を制御する電磁弁開閉制御部７５とを有している。さらに、制御手段７０は、除霜手段５０の一回当りの駆動時間を設定する駆動時間設定部７６と、ヒータスイッチ５２を制御するヒータスイッチ制御部７７と、除霜手段５０の一回当りの駆動時間を測定する駆動時間測定部７８と、除霜手段５０の駆動しない待機時間を測定する待機時間測定部７９とを有している。
【００５５】
開閉判定部７１は、リミットスイッチ６０から出力された閉情報及び開情報から、前側扉３２の開閉状態を判定する。
すなわち、リミットスイッチ６０から出力された情報が閉情報ならば前側扉３２が開口部１０Ａを閉塞していると判定して閉判定を、リミットスイッチ６０から出力された情報が開情報ならば前側扉３２が開口部１０Ａを開放している状態と判定して開判定を、閉時間測定部７２、ファンモータ駆動制御部７３、開時間測定部７４、電磁弁開閉制御部７５及び駆動時間設定部７６のそれぞれに出力する。
【００５６】
閉時間測定部７２は、開閉判定部７１から出力された判定が閉判定の場合には、該閉判定に基づいて前側扉３２が開口部１０Ａを閉塞している時間の測定を開始し、計測した時間を閉時間情報としてファンモータ駆動制御部７３、電磁弁開閉制御部７５及び駆動時間設定部７６に出力する。
【００５７】
また、閉時間測定部７２は、開閉判定部７１から出力された判定が開判定の場合には、該開判定に基づいて時間の測定を停止する。
【００５８】
ファンモータ駆動制御部７３は、開閉判定部７１から出力された閉判定並びに開判定及び閉時間測定部７２から出力された閉時間情報に基づいて、送風機４６を駆動する。
【００５９】
すなわち、ファンモータ駆動制御部７３は、開閉判定部７１から出力された判定が閉判定であって、閉時間測定部７２から出力された閉時間情報と予め定められた所定の第三時間とが一致した場合に、送風機４６を弱設定にする指令を送風機４６に出力する。
【００６０】
また、ファンモータ駆動制御部７３は、開閉判定部７１から出力された判定が開判定の場合には、送風機４６を強設定にする指令を送風機４６のファンモータ４６ｂに直ちに出力する。
【００６１】
開時間測定部７４は、開閉判定部７１から出力された判定が開判定の場合には、該開判定に基づいて前側扉３２が開口部１０Ａを開放している時間の測定を開始し、計測した時間を開時間情報として電磁弁開閉制御部７５及び駆動時間設定部７６に出力する。
【００６２】
また、開時間測定部７４は、開閉判定部７１から出力された判定が閉判定の場合には、該閉判定に基づいて時間の測定を停止する。
【００６３】
電磁弁開閉制御部７５は、開閉判定部７１から出力された閉判定並びに開判定、閉時間測定部７２から出力された閉時間情報及び開時間測定部７４から出力された開時間情報に基づいて、電磁弁４３を駆動する。
【００６４】
すなわち、電磁弁開閉制御部７５は、開閉判定部７１から出力された判定が閉判定であって、閉時間測定部７２から出力された閉時間情報と第三時間とが一致した場合に、電磁弁４３を閉じる指令を電磁弁４３に出力する。
【００６５】
また、電磁弁開閉制御部７５は、開閉判定部７１から出力された判定が開判定であって、開時間測定部７４から出力された開時間情報と予め定められた所定の第一時間とが一致した場合に、電磁弁４３を開く指令を電磁弁４３に出力する。
【００６６】
駆動時間設定部７６は、開閉判定部７１から出力された開判定並びに閉判定、閉時間測定部７２から出力された閉時間情報及び開時間測定部７４から出力された開時間情報に基づいて、駆動時間情報をヒータスイッチ制御部７７に出力する。
【００６７】
すなわち、駆動時間設定部７６は、開閉判定部７１から出力された判定が開判定であって、開時間測定部７４から出力された開時間情報と予め定められた所定の第二時間とが一致した場合に、駆動時間情報としてヒータ５１の駆動時間をＸ時間とするＸ時間情報及びヒータ５１の停止時間をＭ時間とするＭ時間情報をヒータスイッチ制御部７７に出力する。
【００６８】
また、駆動時間設定部７６は、開閉判定部７１から出力された判定が閉判定であって、閉時間測定部７２から出力された閉時間情報と予め定められた所定の第三時間とが一致した場合に、駆動時間情報としてヒータ５１の駆動時間をＹ時間とするＹ時間情報及びヒータ５１の停止時間をＮ時間とするＮ時間情報をヒータスイッチ制御部７７に出力する。
【００６９】
ヒータスイッチ制御部７７は、駆動時間設定部７６から出力されたＸ時間情報及びＹ時間情報に基づいて、ヒータスイッチ５２をオンにしてヒータ５１を駆動する指令をヒータスイッチ５２に出力する。当該出力と同時に、ヒータスイッチ制御部７７は、駆動時間測定部７８にヒータ５１の駆動時間を計測する指令を出力する。
【００７０】
駆動時間測定部７８は、ヒータスイッチ制御部７７からのヒータ５１の駆動時間を計測する指令に基づいて、ヒータ５１の駆動時間を計測し、計測した駆動時間を駆動時間情報としてヒータスイッチ制御部７７に出力する。
【００７１】
ヒータスイッチ制御部７７は、駆動時間測定部７８から出力された駆動時間情報と、駆動時間設定部７６から出力されたＸ時間情報又はＹ時間情報とを比較し、駆動時間情報とＸ時間情報又はＹ時間情報とが一致した場合に、ヒータスイッチ５２をオフにしてヒータ５１を停止する指令をヒータスイッチ５２に出力する。当該出力と同時に、ヒータスイッチ制御部７７は、待機時間測定部７９にヒータ５１の停止時間を計測する指令を出力する。
【００７２】
待機時間測定部７９は、ヒータスイッチ制御部７７からのヒータ５１の停止時間を計測する指令に基づいて、ヒータ５１の停止時間を計測し、計測した停止時間を待機時間情報としてヒータスイッチ制御部７７に出力する。
【００７３】
ヒータスイッチ制御部７７は、待機時間測定部７９から出力された待機時間情報と、駆動時間設定部７６から出力されたＭ時間情報又はＮ時間情報とを比較し、待機時間情報とＭ時間情報又はＮ時間情報とが一致した場合に、ヒータスイッチ５２をオンにしてヒータ５１を稼動する指令をヒータスイッチ５２に出力する。当該出力と同時に、ヒータスイッチ制御部７７は、駆動時間測定部７８にヒータ５１の駆動時間を計測する指令を出力する。
【００７４】
次に、上記構成を有する制御手段７０の具体的動作について、図５及び図６に示す本実施形態に係る制御手段７０の動作を示すフローチャートを用いて説明する。
【００７５】
まず、ステップＳ０１において、開閉判定部７１が、リミットスイッチ６０から開情報が出力されたかを定期的に判定する。開情報が出力されれば前側扉３２が開口部１０Ａを開放している状態と判定して、開判定を開時間測定部７４及びファンモータ駆動制御部７３に出力し、ステップＳ０２に進む。
【００７６】
ここで、開時間測定部７４は、開閉判定部７１から出力された開判定に基づいて、前側扉３２が開口部１０Ａを開放している時間の計測を開始する。
【００７７】
ステップＳ０２では、ファンモータ駆動制御部７３が、開閉判定部７１から出力された開判定に基づいて、送風機４６を強設定にする指令を送風機４６に出力し、ステップＳ０３に進む。
【００７８】
ステップＳ０３では、開閉判定部７１が、リミットスイッチ６０から閉情報が入力されたかを判定する。閉情報が出力されていなければ前側扉３２が開口部１０Ａを開放している状態と判定して開判定を電磁弁開閉制御部７５に出力して、ステップＳ０４に進む。
【００７９】
ステップＳ０４では、開時間測定部７４が、計測している前側扉３２が開口部１０Ａを開放している時間を開時間情報として、電磁弁開閉制御部７５に出力する。
【００８０】
次に、電磁弁開閉制御部７５が、開閉判定部７１から出力された開判定に基づいて、開時間測定部７４から出力された開時間情報と予め定められた第一時間とを比較して両者が一致している場合には、ステップＳ０５に進む。一方、両者が一致していない場合には、ステップＳ０３に戻る。
【００８１】
ステップＳ０５では、電磁弁開閉制御部７５が、電磁弁４３を開く指令を電磁弁４３に出力して、ステップＳ０６に進む。
【００８２】
ステップＳ０６では、開閉判定部７１が、リミットスイッチ６０から閉情報が入力されたかを判定する。閉情報が出力されていなければ前側扉３２が開口部１０Ａを開放している状態と判定して開判定を駆動時間設定部７６に出力して、ステップＳ０７に進む。
【００８３】
ステップＳ０７では、開時間測定部７４が、計測している前側扉３２が開口部１０Ａを開放している時間を開時間情報として、駆動時間設定部７６に出力する。
【００８４】
次に、駆動時間設定部７６が、開閉判定部７１から出力された開判定に基づいて、開時間測定部７４から出力された開時間情報と予め定められた第二時間とを比較して両者が一致している場合には、ステップＳ０８に進む。一方、両者が一致していない場合には、ステップＳ０６に戻る。
【００８５】
ステップＳ０８では、駆動時間設定部７６が、ヒータ５１の駆動時間をＸ時間とするＸ時間情報及びヒータ５１の停止時間をＭ時間とするＭ時間情報をヒータスイッチ制御部７７に出力し、ステップＳ０９に進む。
【００８６】
ステップＳ０９では、開閉判定部７１が、リミットスイッチ６０から閉情報が入力されたかを定期的に判定する。
【００８７】
また、ステップＳ０３、ステップＳ０６又はステップＳ０９において、開閉判定部７１が、リミットスイッチ６０から閉情報が入力されたかを判定し、閉情報が出力されていれば前側扉３２が開口部１０Ａを閉塞している状態と判定して閉判定を閉時間測定部７２に出力して、ステップＳ１１に進む。
【００８８】
ここで、閉時間測定部７２は、開閉判定部７１から出力された閉判定に基づいて、前側扉３２が開口部１０Ａを閉塞している時間の計測を開始する。
【００８９】
ステップＳ１１では、開閉判定部７１が、リミットスイッチ６０から開情報が入力されたかを判定する。開情報が出力されていなければ前側扉３２が開口部１０Ａを閉塞している状態と判定して閉判定をファンモータ駆動制御部７３、電磁弁開閉制御部７５及び駆動時間設定部７６に出力して、ステップＳ１２に進む。一方、開情報が出力されていれば、ステップＳ０９に戻る。
【００９０】
ステップＳ１２では、閉時間測定部７２が、計測している前側扉３２が開口部１０Ａを閉塞している時間を閉時間情報として、ファンモータ駆動制御部７３、電磁弁開閉制御部７５及び駆動時間設定部７６に出力する。
【００９１】
次に、ファンモータ駆動制御部７３、電磁弁開閉制御部７５及び駆動時間設定部７６は、開閉判定部７１から出力された閉判定に基づいて、閉時間測定部７２から出力された閉時間情報と予め定められた第三時間とを比較して閉時間情報が第三時間以上である場合には、ステップＳ１３に進む。一方、閉時間情報が第三時間未満の場合には、ステップＳ１１に戻る。
【００９２】
ステップＳ１３では、ファンモータ駆動制御部７３が、開閉判定部７１から出力された閉判定に基づいて、送風機４６を弱設定にする指令を送風機４６に出力し、ステップＳ１４に進む。
【００９３】
ステップＳ１４では、電磁弁開閉制御部７５が、開閉判定部７１から出力された閉判定に基づいて、電磁弁４３を閉じる指令を電磁弁４３に出力して、ステップＳ１５に進む。
【００９４】
ステップＳ１５では、駆動時間設定部７６が、開閉判定部７１から出力された閉判定に基づいて、ヒータ５１の駆動時間をＹ時間とするＹ時間情報及びヒータ５１の停止時間をＮ時間とするＮ時間情報をヒータスイッチ制御部７７に出力し、ステップＳ０１に戻る。
【００９５】
このように構成されたショーケース１では、閉塞状態では冷却性能及び除霜性能を低くし、第一中間状態では閉塞状態よりも冷却性能を高くし、第二中間状態では第一中間状態よりも冷却性能を高くし、開放状態では第一中間状態よりも除霜性能を高くすることができる。よって、前側扉３２が開放されている時間に応じて、冷却性能及び除霜性能の調整が可能である。したがって、冷却風の温度、送風量、除霜性能を段階的に設定することができるため、省エネルギー効果を向上させることができる。
【００９６】
また、前側扉３２が開口部１０Ａを開放している状態から閉塞している状態に以降された際には、第三時間経過後に冷却性能及び除霜性能は低い設定に変更される。よって、例えば長時間前側扉３２が開放され物品の温度が十分に冷却されていない場合にも、物品を十分に冷却することができるとともに除霜も確実に行うことができる。
【００９７】
（第二実施形態）
以下、本発明の第二実施形態に係るショーケース１０１ついて説明する。
この実施形態において、前述した実施形態で用いた部材と共通の部材には同一の符号を付して、その説明を省略する。
【００９８】
第一実施形態におけるショーケース１では、前側扉３２が開口部１０Ａを開放している時間に応じて冷却性能及び除霜性能を調整している。一方、本実施形態では、後側扉３１及び前側扉３２が開口部１０Ａを開放している領域に応じて冷却性能及び除霜性能を調整している。
【００９９】
以下、ショーケース１０１の構成について、図７を用いて説明する。
開閉状態検出手段１６０は、リミットスイッチ６０（以下、第一リミットスイッチ６０と称する）と、第二リミットスイッチ１６１とを有している。
第二リミットスイッチ１６１は、前側扉３２を支持枠部１４に沿って後方にスライドさせた状態において、前側扉３２の前部と当接する支持枠部１４上に設けられたリミットスイッチで構成されている。
【０１００】
第一リミットスイッチ６０は、前側扉３２が開口部１０Ａを閉塞している場合に、前側扉３２が第一リミットスイッチ６０を押圧して接触状態となり電流が導通して、第一閉情報を出力する。
【０１０１】
また、第一リミットスイッチ６０は、前側扉３２が支持枠部１４に沿って後方にスライドされた場合に、該第一リミットスイッチ６０と前側扉３２との接触がなくなり電流が導通せず、第一開情報を出力する。
【０１０２】
第二リミットスイッチ１６１は、前側扉３２が支持枠部１４に沿って所定の位置まで後方にスライドされて該前側扉３２の後部が保持部材３６に挟持された場合に、前側扉３２が第二リミットスイッチ１６１を押圧して接触状態となり電流が導通して、第二閉情報を出力する。
【０１０３】
また、第二リミットスイッチ１６１は、前側扉３２が後側扉３１と一体とされてれ第一回動軸３７を中心として上方に回動された場合に、該第二リミットスイッチ１６１と前側扉３２との接触がなくなり電流が導通せず、第二開情報を出力する。
【０１０４】
制御手段７０は、開閉状態検出手段１６０での検出結果に基づいて、後側扉３１及び前側扉３２の開閉状態に応じて、冷却手段４０及び除霜手段５０を制御している。
【０１０５】
本実施形態では、第一中間状態は、前側扉３２が後方にスライドして後側扉３１と重合し、開口部１０Ａの前方の領域である第一領域１１０Ａが開放された状態である。なお、本実施形態では閉塞状態と開放状態との間の中間状態としては第一中間状態のみであり、第二中間状態は設定されていない。
【０１０６】
また、開放状態は、前側扉３２と後側扉３１とが一体とされて上方に回動し、開口部１０Ａの前後方向にわたる領域であって第一領域１１０Ａよりも広い第二領域１１０Ｂが開放された状態である。
【０１０７】
閉塞状態の場合には、冷凍機４１による冷却風の温度が第一の温度とされ送風機４６による送風量が第一の送風量とされた第一冷却条件で冷却させるとともに、ヒータ５１によって第一除霜条件で除霜させる。
【０１０８】
また、第一中間状態の場合には、冷凍機４１による冷却風の温度が第一の温度よりも低い第二の温度とされ送風機４６による送風量が第一の送風量よりも多い第二の送風量とされた第二冷却条件で冷却させるとともに、ヒータ５１によって第一除霜条件で除霜させる。
【０１０９】
また、開放状態の場合には、冷凍機４１によって第二冷却条件で冷却させるとともに、ヒータ５１によって第一除霜条件よりも高い除霜性能の第二除霜条件で除霜させる。
【０１１０】
以下、制御手段１７０について、その構成を図８に示す制御手段１７０のブロック図を用いて説明する。
制御手段１７０は、開閉判定部１７１と、ファンモータ駆動制御部１７３と、電磁弁開閉制御部１７５と、駆動時間設定部１７６と、ヒータスイッチ制御部１７７と、駆動時間測定部１７８と、待機時間測定部１７９とを有している。
【０１１１】
開閉判定部１７１は、第一リミットスイッチ６０から出力された第一閉情報並びに第一開情報及び第二リミットスイッチ１６１から出力された第二閉情報並びに第二開情報から、前側扉３２及び後側扉３１の開閉状態を判定する。
【０１１２】
すなわち、第一リミットスイッチ６０から出力された情報が第一閉情報ならば前側扉３２及び後側扉３１が開口部１０Ａを閉塞していると判定して第一閉判定をし、第一開情報ならば前側扉３２が開口部１０Ａを開放していると判定して第一開判定をする。
【０１１３】
また、第二リミットスイッチ１６１から出力された情報が第二閉情報ならば前側扉３２が開口部１０Ａを閉塞していると判定して第二閉判定をし、第二開情報ならば前側扉３２及び後側扉３１が開口部１０Ａを開放していると判定して第二開判定をする。
【０１１４】
つまり、第一閉判定がなされた場合は閉塞状態であり、第一開判定且つ第二閉判定がなされた場合は第一中間状態であり、第一開判定且つ第二開判定がなされた場合は開放状態である。
【０１１５】
開閉判定部１７１は、上記の第一閉判定、第一開判定、第二閉判定及び第二開判定を、ファンモータ駆動制御部１７３、電磁弁開閉制御部１７５及び駆動時間設定部１７６のそれぞれに出力する。
【０１１６】
ファンモータ駆動制御部１７３は、開閉判定部１７１から出力された第一閉判定、第一開判定、第二閉判定及び第二開判定に基づいて、送風機４６を駆動する。
【０１１７】
すなわち、ファンモータ駆動制御部１７３は、開閉判定部１７１から出力された判定が第一閉判定の場合には、送風機４６を弱設定にする指令を送風機４６に出力する。
【０１１８】
また、ファンモータ駆動制御部１７３は、開閉判定部１７１から出力された判定が第一開判定、第二閉判定又は第二開判定の場合には、送風機４６を強設定にする指令を送風機４６に出力する。
【０１１９】
電磁弁開閉制御部１７５は、開閉判定部１７１から出力された第一閉判定、第一開判定、第二閉判定及び第二開判定に基づいて、電磁弁４３を駆動する。
【０１２０】
すなわち、電磁弁開閉制御部１７５は開閉判定部１７１から出力された判定が第一閉判定の場合には、電磁弁４３を閉じる指令を電磁弁４３に出力する。
【０１２１】
また、電磁弁開閉制御部１７５は、開閉判定部１７１から出力された判定が第一開判定、第二閉判定又は第二開判定の場合には、電磁弁４３を開く指令を電磁弁４３に出力する。
【０１２２】
駆動時間設定部１７６は、開閉判定部１７１から出力された第一閉判定、第一開判定、第二閉判定及び第二開判定に基づいて、駆動時間情報をヒータスイッチ制御部１７７に出力する。
【０１２３】
すなわち、駆動時間設定部１７６は、開閉判定部１７１から出力された判定が第一開判定且つ第二開判定の場合には、駆動時間情報としてヒータ５１の駆動時間をＸ時間とするＸ時間情報及びヒータ５１の停止時間をＭ時間とするＭ時間情報を、ヒータスイッチ制御部１７７に出力する。
【０１２４】
また、駆動時間設定部１７６は、開閉判定部７１から出力された判定が、第一閉判定の場合又は第一開判定且つ第二閉判定の組み合わせの場合には、駆動時間情報としてヒータ５１の駆動時間をＹ時間とするＹ時間情報及びヒータ５１の停止時間をＮ時間とするＮ時間情報を、ヒータスイッチ制御部１７７に出力する。
【０１２５】
次に、上記構成を有する制御手段１７０の具体的動作について、図９及び図１０に示す本発明に係る制御部の動作を示すフローチャートを用いて説明する。
【０１２６】
まず、ステップＳ１０１において、開閉判定部１７１が、第一リミットスイッチ６０から第一開情報が出力されたかを定期的に判定する。第一開情報が出力されれば第一開判定と判定して、第一開判定をファンモータ駆動制御部１７３及び電磁弁開閉制御部１７５に出力し、ステップＳ１０２に進む。
【０１２７】
ステップＳ１０２では、ファンモータ駆動制御部１７３が、開閉判定部１７１から出力された第一開判定に基づいて、送風機４６を強設定にする指令を送風機４６に出力し、ステップＳ１０３に進む。
【０１２８】
ステップＳ１０３では、電磁弁開閉制御部１７５が、開閉判定部１７１から出力された第一開判定に基づいて、電磁弁４３を開く指令を電磁弁４３に出力して、ステップＳ１０４に進む。
【０１２９】
ステップＳ１０４では、開閉判定部１７１が、第一リミットスイッチ６０から第一閉情報が出力されたかを判定する。第一閉情報が出力されていなければ、ステップＳ１０５に進む。
【０１３０】
ステップＳ１０５では、開閉判定部１７１が、第二リミットスイッチ１６１から第二開情報が出力されたかを定期的に判定する。第二開情報が出力されれば第二開判定と判定して、上記の第一開判定及び第二開判定を駆動時間設定部１７６に出力し、ステップＳ１０６に進む。
【０１３１】
ステップＳ１０６では、駆動時間設定部１７６が、開閉判定部１７１から出力された第一開判定及び第二開判定に基づいて、ヒータ５１の駆動時間をＸ時間とするＸ時間情報及びヒータ５１の停止時間をＭ時間とするＭ時間情報をヒータスイッチ制御部１７７に出力し、ステップＳ１０７に進む。
【０１３２】
ステップＳ１０７では、開閉判定部１７１が、第二リミットスイッチ１６１から第二閉情報が入力されたかを定期的に判定する。ここで、第二閉情報が出力されれば、第二閉判定と判定して、第二閉判定を駆動時間設定部１７６に出力し、ステップＳ１０８に進む。
【０１３３】
ステップＳ１０８では、駆動時間設定部１７６が、開閉判定部１７１から出力された第二閉判定に基づいて、ヒータ５１の駆動時間をＹ時間とするＹ時間情報及びヒータ５１の停止時間をＮ時間とするＮ時間情報をヒータスイッチ制御部１７７に出力し、ステップＳ１０９に進む。
【０１３４】
ステップＳ１０９では、開閉判定部１７１が、第一リミットスイッチ６０から第一閉情報が出力されたかを判定する。ここで、第一閉情報が出力されれば、第一閉判定と判定して、第一閉判定をファンモータ駆動制御部１７３及び電磁弁開閉制御部１７５に出力し、ステップＳ１１０に進む。
【０１３５】
ステップＳ１１０では、ファンモータ駆動制御部１７３が、開閉判定部１７１から出力された第一閉判定に基づいて、送風機４６を弱設定にする指令を送風機４６に出力し、ステップＳ１１１に進む。
【０１３６】
ステップＳ１１１では、電磁弁開閉制御部１７５が、開閉判定部１７１から出力された第一閉判定に基づいて、電磁弁４３を閉じる指令を電磁弁４３に出力して、ステップＳ１０１に戻る。
【０１３７】
一方、ステップＳ１０４において、開閉判定部１７１が、第一リミットスイッチ６０から第一閉情報が出力されたかを判定し、第一閉情報が出力されれば、ステップＳ１１０に進む。
【０１３８】
また、ステップ１０９において、開閉判定部１７１が、第一リミットスイッチ６０から第一閉情報が出力されたかを判定し、第一閉情報が出力さていなければ、ステップ１１２に進む。
【０１３９】
ステップ１１１２では、開閉判定部１７１が、第二リミットスイッチ１６１から第二開情報が出力されたかを判定する。第二開情報が出力されれば第二開判定と判定して、ステップＳ１０６に進む。一方、第二開情報が出力されなければ、ステップ１０９に戻る。
【０１４０】
このように構成されたショーケース１０１では、閉塞状態では冷却性能及び除霜性能を低くし、第一中間状態では閉塞状態よりも冷却性能を高くし、開放状態では第一中間状態よりも除霜性能を高くすることができる。よって、前側扉３２及び後側扉３１が開口部１０Ａを開放している領域の面積に応じて、冷却性能及び除霜性能の調整が可能である。したがって、冷却風の温度、送風量、除霜性能を段階的に設定することができるため、省エネルギー効果を向上させることができる。
【０１４１】
また、上述した実施の形態において示した動作手順、あるいは各構成部材の諸形状や組み合わせ等は一例であって、本発明の主旨から逸脱しない範囲において設計要求等に基づき種々変更可能である。
【０１４２】
例えば、ショーケースの扉が、左右方向又は前後方向に複数配設され、それらを上下方向に重合させるように引き違い可能に構成されていてもよい（不図示。）。例えば八枚の扉で構成されている場合に、閉塞状態を八枚全部が開口部を閉塞している状態とし、第一中間状態を扉二枚が上下方向に重合され扉略一枚分が開放された状態とし、第二中間状態を扉三枚が上下方向に重合され扉略二枚分が開放された状態とし、開放状態を扉四枚が上下方向に重合され扉略三枚分が開放された状態としてもよい。この場合でも、開口部が扉により開放されている領域の面積に応じて、冷却性能及び除霜性能の調整が可能である。
【０１４３】
また、閉塞状態の場合に、冷凍機４１による冷却風の温度を第一の温度とし送風機４６による送風量を第一の送風量とする第一冷却条件で冷却させ、第一中間状態の場合に冷凍機４１による冷却風の温度を第一の温度よりも温度の低い第二の温度とし送風機４６による送風量を第一の送風量とする第二冷却条件で冷却させ、第二中間状態の場合に、冷凍機４１による冷却風の温度を第二の温度とし送風機４６によって送風量を第一の送風量よりも多い第二の送風量とする第三冷却条件で冷却させてもよい。
【０１４４】
また、第一実施形態では、前側扉３２が開放状態から閉塞状態に以降された際に、第三時間経過後に送風機４６を弱設定にし、電磁弁４３を閉じ、ヒータ５１の駆動時間をＹ時間に設定する指令を出力する構成となっている。ここで、閉時間測定部７２において予め定める時間を異ならせれば、送風機４６を弱設定にし、電磁弁４３を閉じ、ヒータ５１の駆動時間をＹ時間に設定する指令を、それぞれ所定の時間経過後に出力することは可能である。
【０１４５】
また、第一実施形態においては、扉が開口部を閉塞している閉塞状態と、扉が開口部を開口している開放状態との間に、第一中間状態と第二中間状態が設定されているが、これに限られず、更に多くの中間状態を設けることができる。これにより、より細かい条件に応じて、冷却性能及び除霜性能のより段階的な調整が可能となり、省エネルギーを更に向上させることができる。
【０１４６】
また、第一実施形態と第二実施形態とを組み合わせることで、扉が開放されている時間及び扉が開口部を開放している領域の面積に応じて、冷却性能及び除霜性能のより細かな調整が可能となり、省エネルギーを更に向上させることができる。
【符号の説明】
【０１４７】
１…ショーケース  １０…ショーケース本体  １０Ａ…開口部  １１…外ケース部  １２…外底部  １３…外側壁部  １６…内ケース部  １７…内底部  １８…内側壁部  １９…支柱  ２１…吹出通風路  ２２…吹出口  ２３…吸引通風路  ２４…吸引口  ２９…エアカーテン  ３１，３２…扉  ３１…後側扉  ３２…前側扉  ３６…保持部材  ３７…第一回動軸  ４０…冷却手段  ４１…冷凍機  ４２…蒸発器  ４３…電磁弁  ４６…ファンモータ  ５０…除霜手段  ５１…ヒータ  ５２…ヒータスイッチ  ６０…開閉状態検出手段  ７０…制御手段  ７１…開閉判定部  ７２…閉時間測定部  ７３…ファンモータ駆動制御部  ７４…開時間測定部  ７５…電磁弁開閉制御部  ７６…駆動時間設定部  ７７…ヒータスイッチ制御部  ７８…駆動時間測定部  ７９…待機時間測定部
【図１】
2013245914.tif 000003
【図２】
2013245914.tif 000004
【図３】
2013245914.tif 000005
【図４】
2013245914.tif 000006
【図５】
2013245914.tif 000007
【図６】
2013245914.tif 000008
【図７】
2013245914.tif 000009
【図８】
2013245914.tif 000010
【図９】
2013245914.tif 000011